(57)【要約】【課題】  カバーキャップの周壁下方に切断可能な連結部で係止体を連設し、該係止体を保持体によって、取付キャップに抜出し不能に装着し、不正使用防止を確実にしたポンプ式吐出容器のカバーキャップを提供すること。【解決手段】  上方にノズルヘッドを取着したポンプを、容器口部に取付キャップを介して取付けたポンプ式吐出容器のカバーキャップであって、カバーキャップは、側周壁の下端部内周に係合部を設け、下面に切断可能な連結部を介して係止体を連設しており、取付キャップには、取付フランジが設けられ、該取付フランジに上記係止体を抜出し不能に保持する保持体が装着されていることを特徴とする。  【選択図】  図１
2006008215.tif 000002
【特許請求の範囲】
【請求項１】
上方にノズルヘッドを取着したポンプを、容器口部に取付キャップを介して取付けたポンプ式吐出容器のカバーキャップであって、
カバーキャップは、側周壁の下端部内周に係合部を設け、下面に切断可能な連結部を介して係止体を連設しており、
取付キャップには、取付フランジが設けられ、該取付フランジに上記係止体を抜出し不能に保持する保持体が装着されていることを特徴とするポンプ式吐出容器のカバーキャップ。  
【請求項２】
係止体は、リング状に形成され、その下端外周に歯車状の突条を設けており、
保持体は、前記突条に係合する突条を設けていることを特徴とする請求項１記載のポンプ式吐出容器のカバーキャップ。
【発明の詳細な説明】
【技術分野】
【０００１】
本発明は、ポンプ式吐出容器のカバーキャップに関するものである。
【背景技術】
【０００２】
ポンプ式吐出容器のノズルヘッドに被着されるカバーキャップは、従来より周知であり、カバーキャップにおける不正使用防止手段は、主としてシュリンクフィルム等により包装するものであった。
この方法は、内容液充填後に、シュリンクするために熱源等の装置を必要としており、コストアップにつながるという問題があった。
【０００３】
上記の問題を解決するため、ノズル体のストッパーに不正使用防止手段を設けたものも、従来より知られているが（例えば特許文献１参照）、構造の複雑化によるコストアップや、離脱したストッパーの処分が必要となるという問題があった。
【特許文献１】特開２００２−１５９８９３号公報
【発明の開示】
【発明が解決しようとする課題】
【０００４】
本発明は、上記問題を解決することを課題として、カバーキャップの周壁下方に切断可能な連結部で係止体を連設し、該係止体を保持体によって、取付キャップに抜出し不能に装着し、不正使用防止を確実にしたポンプ式吐出容器のカバーキャップを提供することを目的とする。
【課題を解決するための手段】
【０００５】
本発明は、上記の課題を解決するため、ポンプ式吐出容器のカバーキャップとして、上方にノズルヘッドを取着したポンプを、容器口部に取付キャップを介して取付けたポンプ式吐出容器のカバーキャップであって、カバーキャップは、側周壁の下端部内周に係合部を設け、下面に切断可能な連結部を介して係止体を連設しており、取付キャップには、取付フランジが設けられ、該取付フランジに上記係止体を抜出し不能に保持する保持体が装着されていることを特徴とする構成を採用する。
【０００６】
係止体と保持体の実施例として、係止体は、リング状に形成され、その下端外周に歯車状の突条を設けており、保持体は、前記突条に係合する突条を設けていることを特徴とする構成を採用する。
【発明の効果】
【０００７】
本発明のポンプ式吐出容器のカバーキャップは、カバーキャップの周壁下方に切断可能な連結部を介して係止体を連設し、該係止体を取付キャップに装着される保持体により抜出し不能としているから、不正使用防止手段が容易にできるようになった。
【発明を実施するための最良の形態】
【０００８】
次に、本発明のポンプ式吐出容器のカバーキャップについて、図面を参照して説明する。
図１に示すように、本発明のポンプ式吐出容器は、容器本体Ａ、容器口部に取付けられたポンプＢとノズルヘッドＣ、ポンプＢを容器本体Ａに取着するための取付キャップＤ、およびカバーキャップＥと保持体Ｆとから構成されている。
ポンプ式吐出容器内には、内容物として、シャンプー、リンス、化粧料、薬剤等の内容液が充填される。
【０００９】
容器本体Ａは、容器口部１と胴部２，底部３とからなり、容器口部１には、嵌合突条４と回動防止突条５が形成されている。
胴部２には、ポンプＢにより内容液が吐出されると上方に移動する皿体６が嵌挿されており、底部３には、底板７が嵌着されている。
【００１０】
ポンプＢは、シリンダー１０と、スプリングによって上方に付勢されたピストン１１、ピストン１１に嵌着されたステム１２とを具えており、ステム１２の上端には、吐出ノズル１３を具えたノズルヘッドＣが嵌着されている。
【００１１】
ポンプＢは、ノズルヘッドＣの押下げと、スプリングの付勢によるピストン１１の上昇に応じて内容液を吸上げられるものであればよい。
また、皿体６に変え、吸込みパイプを設けたもの等、公知の機構のものであればよく、ポンプＢの構成は、前記実施例に限定されない。
【００１２】
図１、４に示すように、取付キャップＤは、上壁１５と側周壁１６とからなっており、上壁１５には、シリンダー１０の取付部１７と、案内筒１８が立設されている。
案内筒１８の内周は、ノズルヘッドＣの上下動を案内し、外周下端には、嵌合突条１９が設けられている。
【００１３】
側周壁１６は、取付フランジ２０が設けられた上段部２１と、拡径された下段部２２とからなり、側周壁１６内周には、嵌合突条４に係合する嵌合突条２３と回動防止突条２４が設けられている。
取付フランジ２０の外周面には、ローレットが刻設されている。
【００１４】
図２に示すように、カバーキャップＥは、ノズルヘッドＣを覆う頂壁２５と側周壁２６とからなり、側周壁２６の外周面にはローレットが刻設され、下端部内周には、案内筒１８の嵌合突条１９と係合する嵌合突条２７が設けられている。
側周壁２６の下端面には、等間隔をおいて複数の連結片２８が垂設され、該連結片２８を介して下端外周に歯車状の突条２９を設けたリング体３０が連設されている。
【００１５】
前記実施例では、リング体３０を複数の連結片２８をもってカバーキャップＥに連設したが、連結片に変え、切断可能な薄肉の連結板を用いてもよい。
【００１６】
図３、４に示すように、保持体Ｆは、リング体３０の外周面に接合する内周面３１と、突条２９に係合する突条３２を設けた上部係合部３３と、取付キャップＤの取付フランジ２０との接合面３４と、嵌合突条３５とを具えている。
接合面３４には、ローレットが刻設され、嵌合突条３５は、フランジの下側に係合するようになっており、保持体Ｆの下面は、取付キャップＤの下段部２２の上面に載置されるようになっている。
上記突条３２は、リング体３０の突条２９に係合してリング体３０を回動不能にするもであればよく、歯車状の突条であっても、複数個の突条であってもよい。
【００１７】
次に本発明吐出容器のカバーキャップの作用効果について説明する。
まず始めに、本発明吐出容器の組立てについて説明すると、容器内に内容物が充填された後、ノズルヘッドＣを取着したポンプＢを組み込んだ取付キャップＤを、容器口部１に嵌着する。
その際、取付キャップＤは、容器口部１の嵌合突条４と回動防止突条５に対して、嵌合突条２３と回動防止突条２４が係合して容器口部１に嵌着されるので、取付キャップＤ自体は、抜出し、回動不能として容器に取着される。 
【００１８】
次に、カバーキャップＥを被嵌する。
その際、取付キャップＤの案内筒１８の嵌合突条１９に、側周壁２６の内周下端部の嵌合突条２７が係合し、下端は取付キャップＤの上壁１５周縁に載置され、連結片２８を介して連設されたリング体３０は、取付キャップＤの取付フランジ２０上に載置される。
【００１９】
次に、保持体ＦをカバーキャップＥの上方から挿入し、突条３２をリング体３０の突条２９に係合させ、嵌合突条３５を取付フランジ２０を乗り越え、その下側に係合させるとともに、取付フランジ２０と接合面３４がローレットで噛合することによって、カバーキャップＥを抜出し不能、回動不能として取付キャップＤに保持することができる。
【００２０】
ポンプ式吐出容器の店頭への陳列時に、顧客が手にとってみるとき、カバーキャップＥを取外そうとしても、リング体３０は抜出し不能、回動不能となっているから、カバーキャップＥは、簡単には開蓋できないようになっている。
【００２１】
また、故意にカバーキャップＥを強くねじって開蓋したときには、連結片２８が切断され、外から見て不正行為の有無を簡単に知ることができる。
【００２２】
また、容器本体Ａと取付キャップＤ、保持体Ｆの外周は、ほぼ同一径に形成されているので外観がスマートになり、きれいになっているので、顧客の購買意欲を高めることができる。
【００２３】
吐出容器の使用にあたっては、カバーキャップＥを強くねじると、連結片２８が切断され、カバーキャップＥを上方に引上げると、嵌合突条１９と嵌合突条２７の係合を外すことによって簡単に開蓋することができる。
【００２４】
次いで、ノズルヘッドＣを押下げ操作することによって、吐出ノズル１３から内容液を吐出することができ、吐出が終わったときにカバーキャップＥを被嵌しておくと吐出容器をそのまま保存しておくことができる。
【００２５】
前記実施形態では、取付キャップＤの案内筒１８の嵌合突条１９に、カバーキャップＥの嵌合突条２７を嵌合させるようにしているが、案内筒１８の下端部外周にねじを設け、カバーキャップの側周壁２６の下端部内周にねじを設けて螺着するようにしてもよい。
また、リング体３０に変えて、等間隔をおいて配設された円弧状の係止体であってもよい。
【００２６】
また、前記実施形態では、リング体３０の下端に歯車状の突条２９を設けているが、突条に変え、外方に突出する突出環とし、保持体Ｆの突条３２をなくして、突出環と遊合、或いは接合する凹部を設けてもよい。
さらに、取付フランジ２０のローレット、および保持体Ｆの接合面３４のローレットをなくしてもよい。
これらの場合には、カバーキャップの回動が可能となることもあるが、抜出しを防止することはでき，不正使用を防止する効果を発揮することができる。
【００２７】
また、保持体Ｆの下端に嵌合突条３５を設け、取付フランジ２０の下側に係合させるようにしているが、取付フランジ２０の外周面を下段部２２まで延長し、外周面下端部にねじを螺設し、嵌合突条３５に変え、保持体下端部に上記ねじに螺合するねじを螺設して保持体を螺着体としてもよい。
【産業上の利用可能性】
【００２８】
カバーキャップの側周壁下方に、切断可能な連結片を介して連設された係止体を、ポンプ取付キャップに装着される保持体により、抜出し不能に装着し、不正使用防止が確実となったので、シャンプー、リンス、化粧料、薬剤等の収納にも利用できる。
さらに、係止体が離脱しないので、使用開始時に、係止体を処分する手間を省くことができる。
また、吐出容器だけでなく、噴霧ノズルを取着したポンプ式容器のカバーキャップにも利用できる。
【図面の簡単な説明】
【００２９】
【図１】本発明のポンプ式吐出容器の一部断面立面図である。
【図２】カバーキャップの説明図で、（ａ）は一部断面立面図、（ｂ）は底面図である。
【図３】保持体の説明図で、（ａ）は断面立面図、（ｂ）は図（ａ）のＡ−Ａ線における断面図である。
【図４】リング体と保持体の関連を説明する要部説明図である。
【符号の説明】
【００３０】
Ａ          容器本体
Ｂ          ポンプ
Ｃ          ノズルヘッド
Ｄ          取付キャップ
Ｅ          カバーキャップ
Ｆ          保持体
１          容器口部
２          胴部
３          底部
４、１９、２３、２７、３５  嵌合突条
５、２４    回動防止突条
６          皿体
７          底板
１０        シリンダー
１１        ピストン
１２        ステム
１３        吐出ノズル
１５        上壁
１６、２６  側周壁  
１７        取付部
１８        案内筒  
２０        取付フランジ
２１        上段部
２２        下段部
２５        頂壁
２８        連結片
２９、３２  突条
３０        リング体
３１        内周面
３３        上部係合部
３４        接合面
【図１】
2006008215.tif 000003
【図２】
2006008215.tif 000004
【図３】
2006008215.tif 000005
【図４】
2006008215.tif 000006